(57)【特許請求の範囲】
【請求項１】
少なくとも冷蔵室と冷凍室をもち、前記冷蔵室の室温を感知する冷蔵室温度感知装置と、前記冷凍室の室温を感知する冷凍室温度感知装置と、冷媒の流通により冷凍サイクルを運転する能力可変の圧縮機と、前記圧縮機に並列に接続された冷蔵室用蒸発器及び冷凍室用蒸発器と、前記冷蔵室用蒸発器及び前記冷凍室用蒸発器にそれぞれ対応して設けられた冷蔵室用絞り装置及び冷凍室用絞り装置と、前記冷蔵室用絞り装置及び前記冷凍室用絞り装置と前記圧縮機との間に配される凝縮器と、前記冷蔵室用絞り装置と前記凝縮器との間に配される開閉弁と、前記凝縮器を冷却する凝縮器用ファンとを備え、冷凍サイクル運転時には前記開閉弁の開閉によって、前記冷蔵室用蒸発器及び前記冷凍室用蒸発器に同時に冷媒が流れるか、前記冷凍室用蒸発器のみに冷媒が流れるかのいずれかであり、前記冷蔵室の室温が所定の設定温度以上で前記冷凍室の室温が所定の設定温度以下のときに、前記冷蔵室用蒸発器及び前記冷凍室用蒸発器に同時に冷媒を流して前記凝縮器用ファンの回転数及び前記圧縮機の冷凍能力を低下させることを特徴とする冷蔵庫。
【請求項２】
前記冷蔵室に冷気を送出する冷蔵室用ファンと前記冷凍室に冷気を送出する冷凍室用ファンとを備え、前記冷蔵室の室温が所定の設定温度以上で前記冷凍室の室温が所定の設定温度以下のときに、前記冷凍室用ファンの回転数を低下させることを特徴とする請求項１に記載の冷蔵庫。
【請求項３】
少なくとも冷蔵室と冷凍室をもち、前記冷蔵室の室温を感知する冷蔵室温度感知装置と、前記冷凍室の室温を感知する冷凍室温度感知装置と、冷媒の流通により冷凍サイクルを運転する能力可変の圧縮機と、前記圧縮機に並列に接続された冷蔵室用蒸発器及び冷凍室用蒸発器と、前記冷蔵室用蒸発器及び前記冷凍室用蒸発器にそれぞれ対応して設けられた冷蔵室用絞り装置及び冷凍室用絞り装置と、前記冷蔵室用絞り装置及び前記冷凍室用絞り装置と前記圧縮機との間に配される凝縮器と、前記冷蔵室用絞り装置と前記凝縮器との間に配される開閉弁とを備え、冷凍サイクル運転時には前記開閉弁の開閉によって、前記冷蔵室用蒸発器及び前記冷凍室用蒸発器に同時に冷媒が流れるか、前記冷凍室用蒸発器のみに冷媒が流れるかのいずれかであり、前記冷蔵室の室温が所定の設定温度以上で前記冷凍室の室温が所定の設定温度以下のときに、前記冷蔵室用蒸発器及び前記冷凍室用蒸発器に同時に冷媒を流し、前記冷凍室温度感知装置の感知によって前記圧縮機の冷凍能力を切り替える切替温度を高く設定したことを特徴とする冷蔵庫。
【請求項４】
前記冷凍室の室温が前記切替温度よりも低い場合に高い場合よりも前記圧縮機の冷凍能力を低下させることを特徴とする請求項３に記載の冷蔵庫。
【請求項５】
前記凝縮器を冷却する凝縮器用ファンを備え、前記冷凍室の室温が前記切替温度よりも低い場合に高い場合よりも前記凝縮器用ファンの回転数を低下させることを特徴とする請求項４に記載の冷蔵庫。
【請求項６】
前記冷蔵室に冷気を送出する冷蔵室用ファンと前記冷凍室に冷気を送出する冷凍室用ファンとを備え、前記冷凍室の室温が前記切替温度よりも低い場合に高い場合よりも前記冷凍室用ファンの回転数を低下させることを特徴とする請求項４または請求項５に記載の冷蔵庫。
【請求項７】
前記冷蔵室の室温及び前記冷凍室の室温に応じて前記冷蔵室用絞り装置及び前記冷凍室用絞り装置の絞り量を可変したことを特徴とする請求項１〜請求項６のいずれかに記載の冷蔵庫。
【発明の詳細な説明】
【０００１】
【発明の属する技術分野】
本発明は複数個の蒸発器をもつ冷凍サイクルを備えた冷蔵庫に関するものである。
【０００２】
【従来の技術】
従来この種の冷蔵庫は、例えば特開平１０−４７８２７号公報に示されるように、冷蔵室と冷凍室をもち、前記各々の部屋には室温感知のための冷蔵室温度感知装置と冷凍室温度感知装置を設け、圧縮機と、前記圧縮機に並列に接続された複数個の蒸発器と、前記各々の蒸発器に対応して設けられた絞り装置と、凝縮器と、冷媒流路とを備えて冷凍サイクルを構成し、前記蒸発器には冷蔵室用蒸発器と冷凍室用蒸発器とがあり、前記蒸発器の各々を冷却するための冷蔵室用ファンと冷凍室用ファンをもち、前記凝縮器の少なくとも一部を冷却する凝縮器用ファンを設け、前記冷凍サイクルの冷蔵室用蒸発器につながる絞り装置と前記凝縮器との間に開閉弁を設け、前記冷蔵室用ファンと冷凍室用ファンを交互に運転させ、前記冷蔵室用ファンの運転に同期して前記開閉弁を開閉させ、前記冷蔵室の冷却運転時は前記冷凍室の冷却運転時に比較して冷凍能力を減少させるものがある。
【０００３】
【発明が解決しようとする課題】
前記のような冷蔵庫では、冷蔵室と冷凍室が同時に設定温度以上になったとき、例えば、新たに貯蔵品を冷蔵室と冷凍室に同時に多量に入れて双方の室温があがったとき、優先されていない前記貯蔵室、例えば、冷蔵室に貯蔵されている貯蔵品の鮮度が低下するという課題や、各室が個別で冷却される為エネルギー消費量が高くなるという課題があった。
【０００４】
【課題を解決するための手段】
本発明の冷蔵庫は上記のような課題を解決したもので、本発明の冷蔵庫は、少なくとも冷蔵室と冷凍室をもち、前記冷蔵室の室温を感知する冷蔵室温度感知装置と、前記冷凍室の室温を感知する冷凍室温度感知装置と、冷媒の流通により冷凍サイクルを運転する能力可変の圧縮機と、前記圧縮機に並列に接続された冷蔵室用蒸発器及び冷凍室用蒸発器と、前記冷蔵室用蒸発器及び前記冷凍室用蒸発器にそれぞれ対応して設けられた冷蔵室用絞り装置及び冷凍室用絞り装置と、前記冷蔵室用絞り装置及び前記冷凍室用絞り装置と前記圧縮機との間に配される凝縮器と、前記冷蔵室用絞り装置と前記凝縮器との間に配される開閉弁と、前記凝縮器を冷却する凝縮器用ファンとを備え、冷凍サイクル運転時には前記開閉弁の開閉によって、前記冷蔵室用蒸発器及び前記冷凍室用蒸発器に同時に冷媒が流れるか、前記冷凍室用蒸発器のみに冷媒が流れるかのいずれかであり、前記冷蔵室の室温が所定の設定温度以上で前記冷凍室の室温が所定の設定温度以下のときに、前記冷蔵室用蒸発器及び前記冷凍室用蒸発器に同時に冷媒を流して前記凝縮器用ファンの回転数及び前記圧縮機の冷凍能力を低下させることを特徴とするものである。
【０００５】
また本発明は、上記構成の冷蔵庫において、前記冷蔵室に冷気を送出する冷蔵室用ファンと前記冷凍室に冷気を送出する冷凍室用ファンとを備え、前記冷蔵室の室温が所定の設定温度以上で前記冷凍室の室温が所定の設定温度以下のときに、前記冷凍室用ファンの回転数を低下させることを特徴とするものである。
【０００６】
また本発明は、少なくとも冷蔵室と冷凍室をもち、前記冷蔵室の室温を感知する冷蔵室温度感知装置と、前記冷凍室の室温を感知する冷凍室温度感知装置と、冷媒の流通により冷凍サイクルを運転する能力可変の圧縮機と、前記圧縮機に並列に接続された冷蔵室用蒸発器及び冷凍室用蒸発器と、前記冷蔵室用蒸発器及び前記冷凍室用蒸発器にそれぞれ対応して設けられた冷蔵室用絞り装置及び冷凍室用絞り装置と、前記冷蔵室用絞り装置及び前記冷凍室用絞り装置と前記圧縮機との間に配される凝縮器と、前記冷蔵室用絞り装置と前記凝縮器との間に配される開閉弁とを備え、冷凍サイクル運転時には前記開閉弁の開閉によって、前記冷蔵室用蒸発器及び前記冷凍室用蒸発器に同時に冷媒が流れるか、前記冷凍室用蒸発器のみに冷媒が流れるかのいずれかであり、前記冷蔵室の室温が所定の設定温度以上で前記冷凍室の室温が所定の設定温度以下のときに、前記冷蔵室用蒸発器及び前記冷凍室用蒸発器に同時に冷媒を流し、前記冷凍室温度感知装置の感知によって前記圧縮機の冷凍能力を切り替える切替温度を高く設定したことを特徴とするものである。
【０００７】
また本発明は、上記構成の冷蔵庫において、前記冷凍室の室温が前記切替温度よりも低い場合に高い場合よりも前記圧縮機の冷凍能力を低下させることを特徴とするものである。
【０００８】
また本発明は、上記構成の冷蔵庫において、前記凝縮器を冷却する凝縮器用ファンを備え、前記冷凍室の室温が前記切替温度よりも低い場合に高い場合よりも前記凝縮器用ファンの回転数を低下させることを特徴とするものである。
【０００９】
また本発明は、上記構成の冷蔵庫において、前記冷蔵室に冷気を送出する冷蔵室用ファンと前記冷凍室に冷気を送出する冷凍室用ファンとを備え、前記冷凍室の室温が前記切替温度よりも低い場合に高い場合よりも前記冷凍室用ファンの回転数を低下させることを特徴とするものである。
【００１０】
また本発明は、上記構成の冷蔵庫において、前記冷蔵室の室温及び前記冷凍室の室温に応じて前記冷蔵室用絞り装置及び前記冷凍室用絞り装置の絞り量を可変したことを特徴とするものである。
【００１１】
【発明の実施の形態】
以下、本発明の冷蔵庫の実施の形態を図面とともに説明する。
【００１２】
図１は本発明の冷蔵庫のブロック図であり、図１において、１は圧縮機、２は凝縮器、３は冷凍室用蒸発器４につながる冷凍室用絞り装置、５は開閉弁、６は冷蔵室用蒸発器７につながる冷蔵室用絞り装置、８は前記凝縮器２の少なくとも一部を冷却するための凝縮器用ファン、９は前記冷凍室用蒸発器４で冷却された冷気を冷凍室１０に送り出すための冷凍室用ファン、１１は前記冷蔵室用蒸発器７で冷却された冷気を冷蔵室１２に送り出すための冷蔵室用ファン、１３は冷凍室温度感知装置、１４は冷蔵室温度感知装置である。
【００１３】
なお、冷凍室用絞り装置３と冷凍室用蒸発器４、開閉弁５と冷蔵室用絞り装置６と冷蔵室用蒸発器７は並列に接続されており、圧縮機１、凝縮器２、冷凍室用絞り装置３、冷凍室用蒸発器４、開閉弁５、冷蔵室用絞り装置６、冷蔵室用蒸発器７は冷凍サイクルを形成している。
【００１４】
そして、冷凍室１０と冷蔵室１２がともに設定温度（例えば、設定温度が冷凍室１０は−１８℃、冷蔵室１２は５℃）より高いとき、冷凍室温度感知装置１３や冷蔵室温度感知装置１４が室温を感知し、制御装置（不図示）にて圧縮機１が運転され、凝縮器２で液化された冷媒が、冷凍室用絞り装置３を通り冷凍室用蒸発器４で蒸発しながら周囲の空気から熱を奪って流れ、また、凝縮器２で液化された冷媒が、開かれた開閉弁５を通り冷蔵室用絞り装置６を通り冷蔵室用蒸発器７で蒸発しながら周囲の空気から熱を奪って流れ、気化状態で圧縮機１に戻り、一連の冷凍サイクルとなる。
【００１５】
また、このとき、凝縮器用ファン８や冷凍室用ファン９や冷蔵室用ファン１１も同期して運転され、凝縮器用ファン８は凝縮器２を冷却し冷媒の液化を助け、冷凍室用ファン９や冷蔵室用ファン１１は各々冷凍室１０や冷蔵室１２に冷凍室用蒸発器４や冷蔵室用蒸発器７で冷却された冷気を送り、冷凍室１０や冷蔵室１２を所定の室温にまで冷却することになる。そのため、冷凍室１０や冷蔵室１２に同時に貯蔵品をたくさん新に貯蔵しても、即座に冷却され、貯蔵品の劣化を防止できる。
【００１６】
なお、冷蔵室１２が所定の室温（例えば、３℃）になると、開閉弁５が閉じられ、冷蔵室用蒸発器７に冷媒が流れ込まなくなる。そして、所定の時間が経過した後、冷蔵室用ファン１１は停止される。
【００１７】
また、この時冷凍室１０が所定の温度（例えば、−１８℃）になっていないと、圧縮機１や凝縮器用ファン８や冷凍室用ファン９の運転は継続され、圧縮機１の冷凍能力は制御装置（不図示）にて所定値まで下げられ、同時に凝縮器用ファン８もその能力に応じた回転数に下げられる。そのため、効率よく圧縮機１や凝縮器用ファン８が運転されエネルギーの省力化につながる。
【００１８】
なお、前記で冷蔵室用ファン１１の運転が所定の回転数に下げられ、運転が継続されるようにしておくと、冷蔵室１２内の冷気撹拌に役立ち、さらには、冷蔵室用蒸発器７が霜付き状態になっている場合、冷蔵室１２内の冷気により前記冷蔵室用蒸発器７の除霜に役立ち、また、前記除霜により冷蔵室１２内の加湿にも役立つ。
【００１９】
また、冷蔵室１２が設定された所定の室温（例えば、５℃）より高くなり、そのとき、冷凍室１０は設定された所定の室温（例えば、−１８℃）以下のときは、冷凍室温度感知装置１３や冷蔵室温度感知装置１４が各々の室温を感知し、その感知温度に基づき、制御装置（不図示）にて圧縮機１の冷凍能力を必要能力に応じて、冷凍室１０と冷蔵室１２とがともに設定温度（例えば、設定温度が冷凍室１０は−１８℃、冷蔵室１２は５℃）より高く冷凍室１０と冷蔵室１２を同時に冷却するときよりは低い能力で運転され、凝縮器用ファン８や冷凍室用ファン９の回転数もそれに応じて制御装置（不図示）にて下げられて運転されるため、効率よく圧縮機１や凝縮器用ファン８や冷凍室用ファン９が運転されエネルギーの省力化につながる。
【００２０】
そして、このとき、前記冷凍室１０が必要以上の過冷却状態（例えば、−２１℃以下の温度）になることを防ぐため、冷凍室温度感知装置１３による冷凍室向けの切替温度を高くなる（例えば、切替温度は−２１℃から−１９℃にあげる。）ように、制御装置（不図示）の設定が、前記各々の室温に基づき、変わるようにしておき、冷凍室温度感知装置１３や冷蔵室温度感知装置１４の感知状態に基づき、制御装置（不図示）にて圧縮機１の冷凍能力を必要能力に応じて、前記のような冷凍室１０と冷蔵室１２を同時に冷却するときよりは切り替えられて低い能力で運転され、凝縮器用ファン８や冷凍室用ファン９の回転数もそれに応じて制御装置（不図示）にて切り替えられて下げられ運転されるようにしておく。
【００２１】
前記により、前記冷凍室１０が必要以上に冷却（過冷却）されずに、適度に外部からの熱の侵入に対して冷却状態が維持でき、また、圧縮機１のＯＮ−ＯＦＦの回数も増えず、そのため、圧縮機１の起動時に多量に必要とする消費電力の増加もなく、消費電力が少なく効率よく冷蔵室１２や冷凍室１０を冷却することができ、さらに効率よく圧縮機１や凝縮器用ファン８や冷凍室用ファン９が運転され、いっそうエネルギーの省力化につながる。
【００２２】
なお、このとき圧縮機の冷凍能力を変える手段として圧縮機電動機の回転数を減らしそれに連動して動くピストンの冷媒圧縮回数減により冷凍サイクル内の冷媒循環量を減らす方法や冷凍室用絞り装置３及び冷蔵室用絞り装置６を可変型絞り弁や開閉弁と数種類の状態に合わせたキャピラリーチューブとの組み合わせの切替式絞り装置を少なくとも一部に含む絞り装置にして、それらの状態に合った冷媒流や圧力差とする絞り状態（例えば、圧縮機１の低下能力に応じて、冷凍室用絞り装置３や冷蔵室用絞り装置６を絞る。）にしてもよい。
【００２３】
【発明の効果】
本発明の冷蔵庫は前記のような構成であるから、本発明によれば、冷蔵室も冷凍室もその負荷変動に応じて最適の冷却効果が得られ、エネルギーロスの少ない高効率の冷凍サイクルをもった冷蔵庫が得られる。
【図面の簡単な説明】
【図１】本発明の冷蔵庫のブロック図である。
【符号の説明】
１  圧縮機
２  凝縮器
３  冷凍室用絞り装置
４  冷凍室用蒸発器
５  開閉弁
６  冷蔵室用絞り装置
７  冷蔵室用蒸発器
８  凝縮器用ファン
９  冷凍室用ファン
１０  冷凍室
１１  冷蔵室用ファン
１２  冷蔵室
１３  冷凍室温度感知装置
１４  冷蔵室温度感知装置
【図１】
0003710353.tif 000002